(57)【要約】      （修正有）【課題】狭額縁化または異形化しても表示性能および意匠性が損なわれにくい表示パネル装置を提供する。【解決手段】表示領域１１０のＸ方向一端縁１１１において複数のデータ配線４０と接続され、表示領域１１０のＸ方向一端縁１１１と隣接する領域１２１へ引き出された複数の第１の引き出し配線６０と、表示領域１１０のＹ方向一端縁１１２において複数の選択配線５０と接続され、表示領域１１０のＹ方向一端縁１１２と隣接する領域１２２へ引き出された複数の第２の引き出し配線７０とを有し、複数の第２の引き出し配線７０は、表示領域１１０のＹ方向一端縁１１２と隣接する領域１２２から表示領域１１０のＸ方向他端縁１１３と隣接する領域１２３まで延伸している構成とする。【選択図】図５
2015087474.tif 000002
【特許請求の範囲】
【請求項１】
基板上にＸ方向およびＹ方向に沿ってマトリクス状に設けられた複数の表示素子と、
前記基板上における前記複数の表示素子が設けられた表示領域内にＸ方向に沿って設けられた複数のデータ配線と、
前記表示領域内にＹ方向に沿って設けられた複数の選択配線と、
前記表示領域のＸ方向一端縁において前記複数のデータ配線と接続され、前記表示領域のＸ方向一端縁と隣接する領域へ引き出された複数の第１の引き出し配線と、
前記表示領域のＹ方向一端縁において前記複数の選択配線と接続され、前記表示領域のＹ方向一端縁と隣接する領域へ引き出された複数の第２の引き出し配線と、を有し、
前記複数の第２の引き出し配線は、前記表示領域のＹ方向一端縁と隣接する領域から前記表示領域のＸ方向他端縁と隣接する領域まで延伸している
表示パネル装置。
【請求項２】
前記表示領域に、Ｘ方向の幅が狭い領域とＸ方向の幅が広い領域とが存在することにより、前記複数のデータ配線の長さが、前記Ｘ方向の幅が狭い領域と前記Ｘ方向の幅が広い領域とで異なっており、
前記複数の第１の引き出し配線および前記複数のデータ配線の少なくとも一方の配線の電気抵抗値は、前記Ｘ方向の幅が狭い領域に係る配線の方が、前記Ｘ方向の幅が広い領域に係る配線よりも大きい
請求項１に記載の表示パネル装置。
【請求項３】
前記Ｘ方向の幅が狭い領域に係る配線の方が、前記Ｘ方向の幅が広い領域に係る配線よりも、前記少なくとも一方の配線をその配線の延伸方向と直交する面で切断した切断面の断面積が小さい
請求項２に記載の表示パネル装置。
【請求項４】
前記Ｘ方向の幅が狭い領域に係る配線の方が、前記Ｘ方向の幅が広い領域に係る配線よりも、前記少なくとも一方の配線の配線幅が狭く、且つ、
前記Ｘ方向の幅が狭い領域に係る配線と、前記Ｘ方向の幅が広い領域に係る配線とは、前記少なくとも一方の配線の厚みが略同一である
請求項３に記載の表示パネル装置。
【請求項５】
前記複数の第１の引き出し配線の電気抵抗値は、前記Ｘ方向の幅が狭い領域に係る配線の方が、前記Ｘ方向の幅が広い領域に係る配線よりも大きく、且つ、
前記複数のデータ配線の電気抵抗値は、前記Ｘ方向の幅が狭い領域に係る配線と、前記Ｘ方向の幅が広い領域に係る配線とが略同一である
請求項２に記載の表示パネル装置。
【請求項６】
前記複数のデータ配線の電気抵抗値は、前記Ｘ方向の幅が狭い領域に係る配線の方が、前記Ｘ方向の幅が広い領域に係る配線よりも大きく、且つ、
前記複数の第１の引き出し配線の電気抵抗値は、前記Ｘ方向の幅が狭い領域に係る配線と、前記Ｘ方向の幅が広い領域に係る配線とが略同一である
請求項２に記載の表示パネル装置。
【請求項７】
前記表示領域にＹ方向の幅が狭い領域とＹ方向の幅が広い領域とが存在することにより、前記複数の選択配線の長さが、前記Ｙ方向の幅が狭い領域と前記Ｙ方向の幅が広い領域とで異なっており、
前記複数の第２の引き出し配線および前記複数の選択配線の少なくとも一方の配線の電気抵抗値は、前記Ｙ方向の幅が狭い領域に係る配線と、前記Ｙ方向の幅が広い領域に係る配線とが略同一である
請求項２に記載の表示パネル装置。
【請求項８】
前記表示領域にＹ方向の幅が狭い領域とＹ方向の幅が広い領域とが存在することにより、前記複数の選択配線の長さが、前記Ｙ方向の幅が狭い領域と前記Ｙ方向の幅が広い領域とで異なっており、
前記複数の第２の引き出し配線および前記複数の選択配線の少なくとも一方の配線の電気抵抗値は、前記Ｙ方向の幅が狭い領域に係る配線の方が、前記Ｙ方向の幅が広い領域に係る配線よりも大きい
請求項１に記載の表示パネル装置。
【請求項９】
前記複数の第１の引き出し配線と複数の第１の接点で接続された、前記複数の第１の引き出し配線に電圧を印加する第１の駆動部と、前記複数の第２の引き出し配線と複数の第２の接点で接続された、前記複数の第２の引き出し配線に電圧を印加する第２の駆動部と、を有し、
前記第１の駆動部は前記表示領域の前記Ｘ方向一端側に配置され、前記第２の駆動部は前記表示領域のＸ方向他端側に配置されており、
前記複数の第１の接点は、前記表示領域のＸ方向一端縁と隣接する領域において前記Ｙ方向に沿って配置され、前記複数の第２の接点は、前記表示領域のＸ方向他端縁と隣接する領域において前記Ｙ方向に沿って配置されている
請求項１に記載の表示パネル装置。
【請求項１０】
前記複数の第１の接点のうちのＹ方向両端に位置する２つの第１の接点は、前記表示領域のＸ方向一端縁の両端よりもＹ方向内側に位置し、前記複数の第２の接点のうちのＹ方向一端に位置する１つの第２の接点は、前記表示領域のＸ方向他端縁よりもＹ方向外側に位置する
請求項１に記載の表示パネル装置。
【請求項１１】
前記表示素子は、ソース電極、ドレイン電極、および半導体層を有する薄膜トランジスタと、前記薄膜トランジスタと電気的に接続された下部電極と、前記下部電極と対向して配置される上部電極と、前記下部電極と前記上部電極の間に介在する機能層と、前記上部電極に電気的に接続された第１の電源配線と、前記下部電極と電気的に接続された第２の電源配線と、を有し、
前記薄膜トランジスタがｎ型であって、前記表示領域のＹ方向一端縁と隣接する領域には、前記第１の電源配線および前記第２の電源配線が配置されており、前記表示領域のＹ方向他端縁と隣接する領域には、前記第２の電源配線が配置されていると共に前記第１の電源配線は配置されていない
請求項１に記載の表示パネル装置。
【請求項１２】
前記表示素子は、ソース電極、ドレイン電極、および半導体層を有する薄膜トランジスタと、前記薄膜トランジスタと電気的に接続された下部電極と、前記下部電極と対向して配置される上部電極と、前記下部電極と前記上部電極の間に介在する機能層と、前記上部電極に電気的に接続された第１の電源配線と、前記下部電極と電気的に接続された第２の電源配線と、を有し、
前記薄膜トランジスタがｐ型であって、前記表示領域のＹ方向一端縁と隣接する領域には、前記第１の電源配線および前記第２の電源配線が配置されており、前記表示領域のＹ方向他端縁と隣接する領域には、前記第１の電源配線が配置されていると共に前記第２の電源配線は配置されていない
請求項１に記載の表示パネル装置。
【請求項１３】
前記複数の第１の引き出し配線は、延伸方向が変化する少なくとも一つの屈曲部を有し、前記屈曲部の屈曲角度は９０度を超えている
請求項１に記載の表示パネル装置。
【請求項１４】
基板上の表示領域にＸ方向およびＹ方向に沿ってマトリクス状に設けられた複数の表示素子と、
前記表示領域内にＸ方向に沿って設けられた複数のデータ配線と、
前記表示領域内にＹ方向に沿って設けられた複数の選択配線と、
前記表示領域のＸ方向一端縁において前記複数のデータ配線と接続され、前記表示領域のＸ方向一端縁と隣接する領域へ引き出された複数の第１の引き出し配線と、
前記表示領域のＹ方向一端縁において前記複数の選択配線と接続され、前記表示領域のＹ方向一端縁と隣接する領域へ引き出された複数の第２の引き出し配線と、を有し、
前記表示領域にＸ方向の幅が狭い領域と広い領域とが存在することにより、前記複数のデータ配線の長さが、Ｘ方向の幅が狭い領域と広い領域とで異なっており、
前記複数の第１の引き出し配線および前記複数のデータ配線の少なくとも一方の配線の電気抵抗値は、前記表示領域におけるＸ方向の幅が狭い領域に係る配線の方が、前記表示領域におけるＸ方向の幅が広い領域に係る配線よりも大きい
表示パネル装置。
【請求項１５】
基板上の表示領域にＸ方向およびＹ方向に沿ってマトリクス状に設けられた複数の表示素子と、
前記表示領域内にＸ方向に沿って設けられた複数のデータ配線と、
前記表示領域内にＹ方向に沿って設けられた複数の選択配線と、
前記表示領域のＸ方向一端縁において前記複数のデータ配線と接続され、前記表示領域のＸ方向一端縁と隣接する領域へ引き出された複数の第１の引き出し配線と、
前記表示領域のＹ方向一端縁において前記複数の選択配線と接続され、前記表示領域のＹ方向一端縁と隣接する領域へ引き出された複数の第２の引き出し配線と、を有し、
前記表示領域にＹ方向の幅が狭い領域と広い領域とが存在することにより、前記複数の選択配線の長さが、Ｙ方向の幅が狭い領域と広い領域とで異なっており、
前記複数の第２の引き出し配線および前記複数の選択配線の少なくとも一方の配線の電気抵抗値は、前記表示領域におけるＹ方向の幅が狭い領域に係る配線の方が、前記表示領域におけるＹ方向の幅が広い領域に係る配線よりも大きい
表示パネル装置。
【請求項１６】
請求項１の表示パネル装置を備える電子機器。
【発明の詳細な説明】
【技術分野】
【０００１】
本発明は、有機ＥＬ素子等の表示素子を利用した表示パネル装置、および当該表示パネル装置を備える電子機器に関する。
【背景技術】
【０００２】
近年、表示パネル装置の一例として、基板上に複数の有機ＥＬ素子が設けられた表示パネルを有する有機ＥＬ表示パネル装置が普及しつつある。有機ＥＬ表示パネル装置は、自己発光を行う有機ＥＬ素子を利用するため視認性が高く、さらに、有機ＥＬ素子が完全固体素子であるため耐衝撃性に優れる。
有機ＥＬ素子は電流駆動型の発光素子であり、アノードおよびカソードの電極対の間に、キャリア（電子，正孔）の再結合による電界発光現象を行う有機発光層等の有機機能層を積層させた構成を有する。有機機能層には、有機発光層の他に、有機発光層に電子を注入するための電子注入層、有機発光層に正孔を注入するための正孔注入層、電子注入層から注入された電子を有機発光層まで運ぶ電子輸送層、正孔注入層から注入された正孔を有機発光層まで運ぶ正孔輸送層等がある。有機ＥＬ表示パネル装置では、赤色（Ｒ），緑色（Ｇ），青色（Ｂ）の各色に発光する有機ＥＬ素子がそれぞれサブピクセルに対応し、Ｒ，Ｇ，Ｂの３つのサブピクセルの組み合わせで１ピクセル（１画素）が構成される。
【０００３】
従来の表示パネル装置の構成を図１６に示す。図１６に示す表示パネル装置９００は、矩形の表示パネル９１０と、これに接続された駆動制御部９２０とを有する。表示パネル９１０は、有機ＥＬ表示パネルであり、複数の有機ＥＬ素子が基板上の表示領域にＸ方向およびＹ方向に沿ってマトリクス状に設けられた素子構成となっている。また、表示領域には、複数のソース配線がＸ方向に沿って設けられていると共に、複数のゲート配線がＹ方向に沿って設けられている。一方、駆動制御部９２０は、４つの駆動部９２１〜９２４と制御部９２５とで構成されており、ソース配線に接続された２つの駆動部９２１，９２２と、ゲート配線に接続された２つの駆動部９２３，９２４とは、表示パネル９１０の４辺に１つずつ配置されている。
【先行技術文献】
【特許文献】
【０００４】
【特許文献１】特開２０１１−７１１３９号公報
【発明の概要】
【発明が解決しようとする課題】
【０００５】
ところで、表示パネル装置は、薄型化に伴って用途が益々多様化しており、例えば、腕時計型の電子機器、自動車の計器盤（インストルメントパネル）、電子看板（デジタルサイネージ）等には、薄型の表示パネル装置が用いられている。さらに、用途に応じて、表示領域を囲繞する外周領域（額縁領域）の幅を狭めた狭額縁型の表示パネル装置や、円形、半円形、楕円形、三角形、または五角形以上の多角形等の、矩形ではない形状の表示領域を有する異形の表示パネル装置が、必要とされている。
【０００６】
しかしながら、狭額縁型の表示パネルや異形の表示パネル装置に、従来と同様の素子構成や回路レイアウトを採用すると、表示パネル装置の表示性能および意匠性が損なわれる可能性がある。
そこで、本発明は、狭額縁化または異形化しても表示性能および意匠性が損なわれにくい表示パネル装置を提供することを目的とする。
【課題を解決するための手段】
【０００７】
本発明の一実施形態にかかる表示パネル装置は、基板上にＸ方向およびＹ方向に沿ってマトリクス状に設けられた複数の表示素子と、前記基板上における前記複数の表示素子が設けられた表示領域内にＸ方向に沿って設けられた複数のデータ配線と、前記表示領域内にＹ方向に沿って設けられた複数の選択配線と、前記表示領域のＸ方向一端縁において前記複数のデータ配線と接続され、前記表示領域のＸ方向一端縁と隣接する領域へ引き出された複数の第１の引き出し配線と、前記表示領域のＹ方向一端縁において前記複数の選択配線と接続され、前記表示領域のＹ方向一端縁と隣接する領域へ引き出された複数の第２の引き出し配線と、を有し、前記複数の第２の引き出し配線は、前記表示領域のＹ方向一端縁と隣接する領域から前記表示領域のＸ方向他端縁と隣接する領域まで延伸している。
【発明の効果】
【０００８】
本発明の一態様に係る表示パネル装置は、表示性能にダイレクトに影響しない第２の引出し配線が、表示領域のＹ方向一端縁と隣接する領域から表示領域のＸ方向他端縁と隣接する領域まで延伸した構成となっている。そのため、延伸により配線長が長くなったとしても表示性能が低下しにくく、表示性能を良好に保つことができる。
また、第２の引出し配線が、表示領域のＹ方向一端縁と隣接する領域に引き出され、表示領域のＸ方向他端縁と隣接する領域まで延伸した構成となっている。そのため、表示領域を挟んでＹ方向両側に第２の駆動部を配置する必要がないため、表示パネル装置のＹ方向の幅を小さくすることができる。
【０００９】
以上により、本発明の一態様に係る表示パネル装置は、狭額縁化または異形化しても表示性能および意匠性が損なわれにくい構成となっている。
【図面の簡単な説明】
【００１０】
【図１】本発明の実施の形態に係る表示パネル装置を示す平面図。
【図２】図１において二点鎖線Ａで囲まれた領域を示す拡大平面図。
【図３】本発明の実施の形態に係る表示パネルの断面構造を示す模式断面図。
【図４】本発明の実施の形態に係るサブピクセルの等価回路を示す回路図。
【図５】データ配線および選択配線の配線経路を示す模式平面図。
【図６】データ配線、選択配線および電源配線の配線経路を階層ごとに示す模式斜視図。
【図７】（ａ）は、図５において二点鎖線Ｂで囲まれた領域を示す拡大図、（ｂ）は、図５において二点鎖線Ｃで囲まれた領域を示す拡大図、（ｃ）は、図５において二点鎖線Ｄで囲まれた領域を示す拡大図。
【図８】本発明の実施の形態に係る表示パネル装置の各配線の配線幅を説明するための模式平面図。
【図９】変形例１に係る表示パネル装置の各配線の配線幅を説明するための模式平面図。
【図１０】変形例２に係る表示パネル装置の各配線の配線幅を説明するための模式平面図。
【図１１】変形例３に係る表示パネル装置の各配線の配線幅を説明するための模式平面図。
【図１２】本発明の実施の形態に係る電子機器を示す斜視図。
【図１３】本発明の実施の形態に係る電子機器を示す一部破断斜視図。
【図１４】本発明の実施の形態に係る電子機器を示す断面図。
【図１５】本発明の実施の形態に係る表示パネル装置の製造過程の一部を示す模式端面図。
【図１６】従来の表示パネル装置の概略構成図。
【発明を実施するための形態】
【００１１】
本発明の一態様に係る表示パネル装置は、基板上にＸ方向およびＹ方向に沿ってマトリクス状に設けられた複数の表示素子と、前記基板上における前記複数の表示素子が設けられた表示領域内にＸ方向に沿って設けられた複数のデータ配線と、前記表示領域内にＹ方向に沿って設けられた複数の選択配線と、前記表示領域のＸ方向一端縁において前記複数のデータ配線と接続され、前記表示領域のＸ方向一端縁と隣接する領域へ引き出された複数の第１の引き出し配線と、前記表示領域のＹ方向一端縁において前記複数の選択配線と接続され、前記表示領域のＹ方向一端縁と隣接する領域へ引き出された複数の第２の引き出し配線と、を有し、前記複数の第２の引き出し配線は、前記表示領域のＹ方向一端縁と隣接する領域から前記表示領域のＸ方向他端縁と隣接する領域まで延伸している。この構成により、狭額縁化または異形化しても表示性能および意匠性が損なわれにくい表示パネル装置を提供することができる。
【００１２】
また、本発明の一態様に係る表示パネル装置の特定の局面では、前記表示領域に、Ｘ方向の幅が狭い領域とＸ方向の幅が広い領域とが存在することにより、前記複数のデータ配線の長さが、前記Ｘ方向の幅が狭い領域と前記Ｘ方向の幅が広い領域とで異なっており、前記複数の第１の引き出し配線および前記複数のデータ配線の少なくとも一方の配線の電気抵抗値は、前記Ｘ方向の幅が狭い領域に係る配線の方が、前記Ｘ方向の幅が広い領域に係る配線よりも大きい。この構成により、表示領域が異形であって領域によってデータ配線の長さが異なっていても、表示性能が劣化しにくい表示パネル装置を提供することができる。
【００１３】
また、本発明の一態様に係る表示パネル装置の特定の局面では、前記Ｘ方向の幅が狭い領域に係る配線の方が、前記Ｘ方向の幅が広い領域に係る配線よりも、前記少なくとも一方の配線をその配線の延伸方向と直交する面で切断した切断面の断面積が小さい。
また、本発明の一態様に係る表示パネル装置の特定の局面では、前記Ｘ方向の幅が狭い領域に係る配線の方が、前記Ｘ方向の幅が広い領域に係る配線よりも、前記少なくとも一方の配線の配線幅が狭く、且つ、前記Ｘ方向の幅が狭い領域に係る配線と、前記Ｘ方向の幅が広い領域に係る配線とは、前記少なくとも一方の配線の厚みが略同一である。この構成により、表示性能が劣化しにくい表示パネル装置を容易に製造することができる。
【００１４】
また、本発明の一態様に係る表示パネル装置の特定の局面では、前記複数の第１の引き出し配線の電気抵抗値は、前記Ｘ方向の幅が狭い領域に係る配線の方が、前記Ｘ方向の幅が広い領域に係る配線よりも大きく、且つ、前記複数のデータ配線の電気抵抗値は、前記Ｘ方向の幅が狭い領域に係る配線と、前記Ｘ方向の幅が広い領域に係る配線とが略同一である。この構成により、表示領域内において各表示素子の寿命がばらつきにくい表示パネル装置を提供することができる。
【００１５】
また、本発明の一態様に係る表示パネル装置の特定の局面では、前記複数のデータ配線の電気抵抗値は、前記Ｘ方向の幅が狭い領域に係る配線の方が、前記Ｘ方向の幅が広い領域に係る配線よりも大きく、且つ、前記複数の第１の引き出し配線の電気抵抗値は、前記Ｘ方向の幅が狭い領域に係る配線と、前記Ｘ方向の幅が広い領域に係る配線とが略同一である。この構成により、表示領域内における表示レイアウトの自由度が高い表示パネル装置を提供することができる。
【００１６】
また、本発明の一態様に係る表示パネル装置の特定の局面では、前記表示領域にＹ方向の幅が狭い領域とＹ方向の幅が広い領域とが存在することにより、前記複数の選択配線の長さが、前記Ｙ方向の幅が狭い領域と前記Ｙ方向の幅が広い領域とで異なっており、前記複数の第２の引き出し配線および前記複数の選択配線の少なくとも一方の配線の電気抵抗値は、前記Ｙ方向の幅が狭い領域に係る配線と、前記Ｙ方向の幅が広い領域に係る配線とが略同一である。この構成により、選択配線および第２の引き出し配線における発熱量のばらつきを抑制することできる
また、本発明の一態様に係る表示パネル装置の特定の局面では、前記表示領域にＹ方向の幅が狭い領域とＹ方向の幅が広い領域とが存在することにより、前記複数の選択配線の長さが、前記Ｙ方向の幅が狭い領域と前記Ｙ方向の幅が広い領域とで異なっており、前記複数の第２の引き出し配線および前記複数の選択配線の少なくとも一方の配線の電気抵抗値は、前記Ｙ方向の幅が狭い領域に係る配線の方が、前記Ｙ方向の幅が広い領域に係る配線よりも大きい。この構成により、表示領域が異形であって領域によって選択配線の長さが異なっていても、長さが異なることによる電圧降下量のばらつきを抑制することができる。
【００１７】
また、本発明の一態様に係る表示パネル装置の特定の局面では、前記複数の第１の引き出し配線と複数の第１の接点で接続された、前記複数の第１の引き出し配線に電圧を印加する第１の駆動部と、前記複数の第２の引き出し配線と複数の第２の接点で接続された、前記複数の第２の引き出し配線に電圧を印加する第２の駆動部と、を有し、前記第１の駆動部は前記表示領域の前記Ｘ方向一端側に配置され、前記第２の駆動部は前記表示領域のＸ方向他端側に配置されており、前記複数の第１の接点は、前記表示領域のＸ方向一端縁と隣接する領域において前記Ｙ方向に沿って配置され、前記複数の第２の接点は、前記表示領域のＸ方向他端縁と隣接する領域において前記Ｙ方向に沿って配置されている。この構成により、表示パネル装置をＸ方向に沿って湾曲させた場合における表示パネル装置の破損を抑制することができる。
【００１８】
また、本発明の一態様に係る表示パネル装置の特定の局面では、前記複数の第１の接点のうちのＹ方向両端に位置する２つの第１の接点は、前記表示領域のＸ方向一端縁の両端よりもＹ方向内側に位置し、前記複数の第２の接点のうちのＹ方向一端に位置する１つの第２の接点は、前記表示領域のＸ方向他端縁よりもＹ方向外側に位置する。この構成により、第１の引き出し配線および第２の引き出し配線の長さをそれぞれ短くすることができる。
【００１９】
また、本発明の一態様に係る表示パネル装置の特定の局面では、前記表示素子は、ソース電極、ドレイン電極、および半導体層を有する薄膜トランジスタと、前記薄膜トランジスタと電気的に接続された下部電極と、前記下部電極と対向して配置される上部電極と、前記下部電極と前記上部電極の間に介在する機能層と、前記上部電極に電気的に接続された第１の電源配線と、前記下部電極と電気的に接続された第２の電源配線と、を有し、前記薄膜トランジスタがｎ型であって、前記表示領域のＹ方向一端縁と隣接する領域には、前記第１の電源配線および前記第２の電源配線が配置されており、前記表示領域のＹ方向他端縁と隣接する領域には、前記第２の電源配線が配置されていると共に前記第１の電源配線は配置されていない。この構成により、第１の電源配線が表示パネル装置の表示性能に与える影響を抑制しつつ、外周領域の省スペース化を図ることができる。
【００２０】
また、本発明の一態様に係る表示パネル装置の特定の局面では、前記表示素子は、ソース電極、ドレイン電極、および半導体層を有する薄膜トランジスタと、前記薄膜トランジスタと電気的に接続された下部電極と、前記下部電極と対向して配置される上部電極と、前記下部電極と前記上部電極の間に介在する機能層と、前記上部電極に電気的に接続された第１の電源配線と、前記下部電極と電気的に接続された第２の電源配線と、を有し、前記薄膜トランジスタがｐ型であって、前記表示領域のＹ方向一端縁と隣接する領域には、前記第１の電源配線および前記第２の電源配線が配置されており、前記表示領域のＹ方向他端縁と隣接する領域には、前記第１の電源配線が配置されていると共に前記第２の電源配線は配置されていない。この構成により、第２の電源配線が表示パネル装置の表示性能に与える影響を抑制しつつ、外周領域の省スペース化を図ることができる。
【００２１】
また、本発明の一態様に係る表示パネル装置の特定の局面では、前記複数の第１の引き出し配線は、延伸方向が変化する少なくとも一つの屈曲部を有し、前記屈曲部の屈曲角度は９０度を超えている。この構成により、第２の引き出し配線の断線やショートを抑制することができる。
本発明の別の一態様に係る表示パネル装置は、基板上の表示領域にＸ方向およびＹ方向に沿ってマトリクス状に設けられた複数の表示素子と、前記表示領域内にＸ方向に沿って設けられた複数のデータ配線と、前記表示領域内にＹ方向に沿って設けられた複数の選択配線と、前記表示領域のＸ方向一端縁において前記複数のデータ配線と接続され、前記表示領域のＸ方向一端縁と隣接する領域へ引き出された複数の第１の引き出し配線と、前記表示領域のＹ方向一端縁において前記複数の選択配線と接続され、前記表示領域のＹ方向一端縁と隣接する領域へ引き出された複数の第２の引き出し配線と、を有し、前記表示領域にＸ方向の幅が狭い領域と広い領域とが存在することにより、前記複数のデータ配線の長さが、Ｘ方向の幅が狭い領域と広い領域とで異なっており、前記複数の第１の引き出し配線および前記複数のデータ配線の少なくとも一方の配線の電気抵抗値は、前記表示領域におけるＸ方向の幅が狭い領域に係る配線の方が、前記表示領域におけるＸ方向の幅が広い領域に係る配線よりも大きい。この構成により、表示領域が異形であって領域によってデータ配線の長さが異なっていても、表示性能が劣化しにくい表示パネル装置を提供することができる。
【００２２】
本発明のさらに別の一態様に係る表示パネル装置は、基板上の表示領域にＸ方向およびＹ方向に沿ってマトリクス状に設けられた複数の表示素子と、前記表示領域内にＸ方向に沿って設けられた複数のデータ配線と、前記表示領域内にＹ方向に沿って設けられた複数の選択配線と、前記表示領域のＸ方向一端縁において前記複数のデータ配線と接続され、前記表示領域のＸ方向一端縁と隣接する領域へ引き出された複数の第１の引き出し配線と、前記表示領域のＹ方向一端縁において前記複数の選択配線と接続され、前記表示領域のＹ方向一端縁と隣接する領域へ引き出された複数の第２の引き出し配線と、を有し、前記表示領域にＹ方向の幅が狭い領域と広い領域とが存在することにより、前記複数の選択配線の長さが、Ｙ方向の幅が狭い領域と広い領域とで異なっており、前記複数の第２の引き出し配線および前記複数の選択配線の少なくとも一方の配線の電気抵抗値は、前記表示領域におけるＹ方向の幅が狭い領域に係る配線の方が、前記表示領域におけるＹ方向の幅が広い領域に係る配線よりも大きい。この構成により、表示領域が異形であって領域によって選択配線の長さが異なっていても、表示性能が劣化しにくい表示パネル装置を提供することができる。
【００２３】
本発明の一態様に係る電子機器は、上記表示パネル装置を備える。
＜実施の形態＞
以下、本発明に係る表示パネル装置および電子機器について、実施の形態に基づいて説明するが、本発明は、請求の範囲の記載に基づいて特定される。よって、以下の実施の形態における構成要素のうち、請求項に記載されていない構成要素は、本発明の課題を達成するのに必ずしも必要ではないが、より好ましい形態を構成するものとして説明する。なお、各図は、模式図であり、必ずしも厳密に図示したものではない。
【００２４】
（表示パネル装置）
図１は、本発明の実施の形態に係る表示パネル装置を示す平面図である。
図１に示すように、本発明の実施の形態に係る表示パネル装置２００は、表示パネル２１０、第１のＣＯＦ（ｃｈｉｐ  ｏｎ  ｆｉｌｍ）２２０、および第２のＣＯＦ２３０を備える。
【００２５】
図２は、図１において二点鎖線Ａで囲まれた領域を示す拡大平面図である。
表示パネル２１０における二点鎖線１００の内側の表示領域１１０内には、図２に示すように、表示素子の一例としての有機ＥＬ素子３０が、Ｘ方向および当該Ｘ方向と直交するＹ方向に沿ってマトリクス状に設けられている。なお、本実施の形態では、Ｘ方向とＹ方向とが互いに直交しているが、本発明の一態様においてＸ方向とＹ方向とは必ずしも直交している必要はなく、交差する角度は任意である。
【００２６】
各有機ＥＬ素子３０のうち、符号に（Ｒ）を付しているものが赤色発光の有機ＥＬ素子３０であり、符号に（Ｇ）を付しているものが緑色発光の有機ＥＬ素子３０であり、符号に（Ｂ）を付しているものが青色発光の有機ＥＬ素子３０である。各有機ＥＬ素子３０がそれぞれ１サブピクセルに対応しており、発光色の異なる３つのサブピクセルを１組として１ピクセル（１画素）が構成されている。各有機ＥＬ素子３０の発光を制御することによって、表示領域１１０に画像や文字等の情報が表示される。
【００２７】
また、表示領域１１０には、データ線の一例であるソース配線（映像信号線）４０と、選択配線の一例であるゲート配線（走査線）５０と、有機ＥＬ素子３０に接続された電源引込線８０とが、それぞれ複数本ずつ設けられている。
各ソース配線４０は、表示領域１１０にＸ方向に沿って設けられている。１本のソース配線４０が、Ｘ方向に並んだ１行の有機ＥＬ素子３０に対応している。すなわち、１本のソース配線４０が、Ｘ方向に並んだ１行のサブピクセルに対応している。
【００２８】
各ゲート配線５０は、表示領域１１０にＹ方向に沿って設けられている。１本のゲート配線５０が、Ｙ方向に並んだ１列の有機ＥＬ素子３０に対応している。すなわち、１本のゲート配線５０が、Ｙ方向に並んだ１列のピクセルに対応している。
各電源引込線８０は、表示領域１１０にＸ方向に沿って設けられている。本実施の形態では、２本の電源引込線８０が、Ｘ方向に並んだ１行のピクセルに対応している。１つのピクセルに着目すると、１本の電源引込線８０が１つのサブピクセルに用いられ、もう１本の電源引込線８０が他の２つのサブピクセルに共用されている。具体的には、１本の電源引込線８０が有機ＥＬ素子３０（Ｒ）に対応しており、もう１本の電源引込線８０が有機ＥＬ素子３０（Ｇ）および有機ＥＬ素子３０（Ｂ）に対応している。
【００２９】
図３は、本発明の実施の形態に係る表示パネルの断面構造を示す模式断面図である。
図３に示すように、表示パネル２１０は、パネル基板１、ゲート電極２、ゲート絶縁膜３、ソース電極４、ドレイン電極５、第１の隔壁部６、半導体層７、無機保護膜８、絶縁層９、下部電極１０、第２の隔壁部１１、有機層１２、上部電極１３、ＥＬ封止層１４、封止層１５、および封止基板１６等を備える。そして、ゲート電極２、ゲート絶縁膜３、ソース電極４、ドレイン電極５、第１の隔壁部６および半導体層７によって、薄膜トランジスタ２０が構成されている。また、下部電極１０、第２の隔壁部１１、有機層１２および上部電極１３によって、有機ＥＬ素子３０が構成されている。
【００３０】
薄膜トランジスタ２０は、パネル基板１上に、複数のボトムゲート型のアレイ状に形成されている。特に、本実施の形態に係る薄膜トランジスタ２０は、チャネル層となる半導体層７が有機材料によって構成された有機薄膜トランジスタであって、各半導体層７は、第１の隔壁部６に設けられた複数の開口６ａ内のそれぞれに有機材料を塗布することによって形成されている。また、本実施の形態に係る薄膜トランジスタ２０は、ｎチャネル型の駆動トランジスタであって、ドレイン電極５が有機ＥＬ素子３０の下部電極１０と電気的に接続されている。なお、図３には、スイッチングトランジスタは図示されていない。以下において、薄膜トランジスタ２０の各構成要素について詳述する。
【００３１】
パネル基板１は、例えば、プラスチックフィルム等の可撓性を有する材料からなるフレキシブル基板である。パネル基板１がフレキシブル基板である場合は、パネル基板１の表面にＳｉＮ（窒化珪素）などを主成分とするバリア層（図示せず）が少なくとも１層形成されていることが好ましい。
ゲート電極２は、パネル基板１上の所定の領域にパターン形成されており、単層構造または多層構造を有する。ゲート電極２は、導電性材料によって構成されており、導電性材料としては、Ｍｏ（モリブデン）、Ａｌ（アルミニウム）、Ｃｕ（銅）、Ｗ（タングステン）、Ｔｉ（チタン）、Ｃｒ（クロム）等の金属や、ＭｏＷ（モリブデンタングステン）等の合金等が挙げられる。
【００３２】
ゲート絶縁膜３は、ゲート電極２上に形成されている。本実施の形態において、ゲート絶縁膜３は、全てのゲート電極２を覆うようにパネル基板１上に全域に亘って形成されている。ゲート絶縁膜３は、シリコン酸化膜やシリコン窒化膜等の無機絶縁膜によって構成されており、単層構造または多層構造を有する。なお、ゲート絶縁膜３は、ポリイミド、ポリビニルフェノール、ポリプロピレン等の有機絶縁膜によって構成されていてもよい。
【００３３】
一対のソース電極４およびドレイン電極５は、ゲート絶縁膜３上に形成されており、ゲート電極２の上方において所定の間隔をあけて対向配置されている。ソース電極４およびドレイン電極５は、導電性材料によって構成されており、導電性材料としては、モリブデン、タングステン等の金属や、モリブデンタングステン等の合金、またはそれら金属の合金等が挙げられる。
【００３４】
本実施の形態において、ドレイン電極５は、半導体層７とは反対側の部分が、他の導電部と接続するための配線（配線層）として機能し、本実施の形態では、有機ＥＬ素子３０の下部電極１０と接続されている。
第１の隔壁部６は、ソース電極４およびドレイン電極５上に形成されている。第１の隔壁部６によって、半導体層７が区画されている。第１の隔壁部６の隔壁は、半導体層７を形成する際に開口６ａ内に塗布した有機材料が開口６ａの外へ流れ出さないようにせき止める機能を有する。第１の隔壁部６の開口６ａは、ソース電極４の一部、ドレイン電極５の一部、およびゲート絶縁膜３の一部を露出させるように構成されている。
【００３５】
第１の隔壁部６は、レジスト等の感光性樹脂を用いて形成することができ、この感光性樹脂を部分的に露光し現像することによって開口６ａを形成することができる。なお、第１の隔壁部６に対して所定の表面処理を行うことにより、第１の隔壁部６の表面に撥水性を持たせることが好ましい。
半導体層７は、少なくともソース電極４およびドレイン電極５と接するように、第１の隔壁部６の開口６ａ内に形成されている。半導体層７は、薄膜トランジスタ２０のチャネル層として機能し、ゲート電極２の上方に形成されている。本実施の形態において、半導体層７は、ゲート絶縁膜３上、ソース電極４上、およびドレイン電極５上に形成されている。
【００３６】
半導体層７は、塗布型の半導体層であり、インクジェット法等の印刷法によって形成することができる。塗布型の半導体層７としては、例えば、ペンタセン、フタロシアニン系、または、ポルフィリン系の可溶性の有機材料を用いた有機半導体層、または、ＩＧＺＯ（ＩｎＧａＺｎＯｘ）等の透明アモルファス酸化物を用いた酸化物半導体層がある。本実施の形態では、半導体層７として有機材料を用いている。
【００３７】
なお、図示しないが、第１の隔壁部６の開口６ａ内において、半導体層７を保護するために半導体層７を覆うように有機保護膜を形成してもよい。有機保護膜としては、アクリルポリマー等の高分子材料あるいはアクリルモノマー等の低分子材料のような有機材料を用いることができる。有機保護膜を形成することによって、水分や酸素などが半導体層７へ侵入することを抑制することができる。
【００３８】
無機保護膜８は、全ての薄膜トランジスタ２０を覆うようにパネル基板１の上方に略全域に亘って形成されており、層間のリーク電流の発生を抑制する機能を有する。本実施の形態において、無機保護膜８は、ＳｉＮ膜上にＳｉＯ（酸化珪素）膜を積層させてなる多層構造を有する。
絶縁層９は、無機保護膜８上に形成される。本実施の形態において、絶縁層９は、パネル基板１の上方に略全域に亘って形成された平坦化絶縁層である。絶縁層９は、層間のリーク電流の発生を抑制すると共に、薄膜トランジスタ２０の表面を平坦化する厚膜の平坦化膜である。絶縁層９は、例えば、レジスト等の有機材料や、ＳＯＧ（Ｓｐｉｎ  Ｏｎ  Ｇｌａｓｓ）等の無機材料で形成することができる。
【００３９】
また、絶縁層９には、有機ＥＬ素子３０の下部電極１０とドレイン電極５（ドレイン電極５の配線部分）とを接続するためのコンタクトホール９ａが設けられている。コンタクトホール９ａは、絶縁層９におけるドレイン電極５上方の部分を除去することにより形成される。コンタクトホール９ａを形成することによって、ドレイン電極５の表面を露出させることができ、コンタクトホール９ａを介してドレイン電極５と下部電極１０とを接続することができる。
【００４０】
本実施の形態における有機ＥＬ素子３０は、トップエミッション型の有機ＥＬ素子であって、絶縁層９上において画素単位（発光単位）で形成されている。以下において、有機ＥＬ素子３０の各構成要素について詳述する。
下部電極１０は、絶縁層９上に形成され、アノード（陽極）であって有機ＥＬ素子３０の画素電極として機能する。また、本実施の形態における有機ＥＬ素子３０はトップエミッション型であるので、下部電極１０は反射電極として構成されている。反射電極としての下部電極１０は、例えば、ＡＰＣ（アルミニウムや銀合金）などの反射金属（反射率の高い金属）の単層構造、あるいは、ＩＴＯ（インジウム錫酸化物）等の透明金属酸化物と、銀合金等の反射金属との２層構造とすることができる。下部電極１０は、絶縁層９上の所定の領域にパターン形成されている。なお、ボトムエミッション型の有機ＥＬ素子とする場合、下部電極１０は、ＩＴＯなどの透明金属酸化物のみからなる透明電極とする。
【００４１】
また、上述のように、下部電極１０は、絶縁層９を貫通するコンタクトホール９ａを介して、薄膜トランジスタ２０のドレイン電極５と電気的に接続されている。本実施の形態において、下部電極１０は、コンタクトホール９ａの底部において露出するドレイン電極５と接するように形成されている。これにより、下部電極１０には、駆動トランジスタとしての薄膜トランジスタ２０のドレイン電極５から、ソース配線４０から供給されたデータ電圧に対応する電流が供給される。
【００４２】
第２の隔壁部１１は、有機ＥＬ層に形成されるＥＬバンク層であって、絶縁層９上に形成されている。第２の隔壁部１１には、有機層１２を区画するための複数の開口１１ａが設けられている。第２の隔壁部１１は、レジスト等の感光性樹脂を用いて形成することができ、この感光性樹脂を部分的に露光および現像することによって開口１１ａを形成することができる。
【００４３】
有機層１２は、下部電極１０上において画素単位で形成されており、所定の有機発光材料で構成される発光層を含む有機ＥＬ層である。発光層は、下部電極１０と上部電極１３とに所定の電圧が印加されることにより注入された電子と正孔とが再結合して生じるエネルギーにより、発光層の発光材料が励起されて発光する。発光層は、例えば、下層としてα−ＮＰＤ（Ｂｉｓ［Ｎ−（１−ｎａｐｈｔｈｙｌ）−Ｎ−ｐｈｅｎｙｌ］ｂｅｎｚｉｄｉｎｅ）を用い、上層としてＡｌｑ３（ｔｒｉｓ−（８−ｈｙｄｒｏｘｙｑｕｉｎｏｌｉｎｅ）ａｌｕｍｉｎｕｍ）を用いた多層構造とすることができる。
【００４４】
また、有機層１２は、発光層の他に、正孔注入層、正孔輸送層、電子輸送層、および電子注入層の全部または一部が積層されて構成されている。この場合、例えば、正孔注入層としては、ＰＥＤＯＴ（ポリエチレンジオキシチオフェン）などの化合物などを用いることができ、正孔輸送層としては、トリフェルアミンやポリアニリンなどを用いることができ、電子注入層としては、ＰＰＶ（ポリフェニレンビニレン）などを用いることができる。
【００４５】
上部電極１３は、カソード（陰極）であり、下部電極１０に対して負の電圧を発光層に印加して、電子を発光層に注入する機能を有する。上部電極１３は、下部電極１０と対向するように形成された透明電極であって、有機層１２上に形成される。なお、本実施の形態における上部電極１３は、全ての有機ＥＬ素子３０で共有される共通電極である。上部電極１３は、透過率の高い材料および構造を用いることが好ましく、ＩＴＯまたはＩＺＯ（インジウム亜鉛酸化物）等の透明金属酸化物によって構成することができる。なお、本実施の形態において、上部電極１３の電位は接地電位としている。
【００４６】
ＥＬ封止層１４は、全ての有機ＥＬ素子３０を覆うようにパネル基板１の上方の略全域に亘って形成されており、有機ＥＬ素子３０を封止して保護する。本実施の形態において、ＥＬ封止層１４は、ＳｉＮ膜からなる。ＥＬ封止層１４は、パネル基板１の外周縁部の上方においては、無機保護膜８、絶縁層９、および有機ＥＬ素子３０の側面を覆っており、さらにゲート絶縁膜３の外周縁部３ａの上面を覆っている。このような構成は、表示パネル２１０の製造工程において、パネル基板１上にソース電極４から封止基板１６までの各層を積層させた積層体を形成後、その積層体の不要な外周部分をカットする際に、ゲート絶縁膜３上にＥＬ封止層１４が直接形成されている領域１７にカッターの刃１８を当ててカットすることにより実現される。この構成により、ゲート絶縁膜３上に形成されたソース電極４から上部電極１３までの各層が切断されることがなく、無機保護膜８、絶縁膜９、およびその上に形成された有機ＥＬ素子３０の側面がＥＬ封止層１４によって覆われた状態を維持することができるため、薄膜トランジスタ２０の内部および有機ＥＬ素子３０の内部に積層構造の側方から水分やガスなどが侵入することを防止できる。
【００４７】
封止層１５は、有機ＥＬ素子３０が形成されたパネル基板１と封止基板１６とを接合する接着層として機能するとともに、有機ＥＬ素子３０を封止して保護する保護層としても機能する。封止層１５の材料としては、例えば、アクリル系またはエポキシ系の樹脂などを用いることができる。なお、ＥＬ封止層１４と封止層１５との間に、さらに有機ＥＬ素子３０を水分や酸素から保護するために薄膜封止層を形成してもよい。薄膜封止層の材料としては、例えば、ＳｉＮまたはＳｉＯＮ（酸窒化珪素）等の透明絶縁材料を用いることができる。
【００４８】
封止基板１６は、有機ＥＬ素子３０を封止して有機ＥＬ素子３０を外部から保護する基板である。すなわち、封止基板１６は、表示パネル装置２００の外面を形成する。封止基板１６は、パネル基板１と同様、フレキシブル性を有する樹脂材料を用いるものであってもよい。封止基板１６は、有機ＥＬ素子３０の発光層から放出される光を透過するため、複数の画素のそれぞれに対応する有機ＥＬ素子３０が所望に発光することによって、封止基板１６に所望の画像が表示される。封止基板１６としては、例えば透明ガラス基板を用いることができる。なお、必要に応じて封止基板１６の内面に、赤色、緑色および青色の各色に対応するカラーフィルタを形成してもよく、この場合、封止基板１６はカラーフィルタを通過した光を透過する。
【００４９】
図４は、本発明の実施の形態に係るサブピクセルの等価回路を示す回路図である。
図４に示すように、サブピクセルの等価回路は、有機ＥＬ素子１０１（前述の有機ＥＬ素子３０に相当）、有機ＥＬ素子１０１を駆動する駆動トランジスタである薄膜トランジスタ１０２（前述の薄膜トランジスタ２０に相当）、有機ＥＬ素子１０１を選択するためのスイッチングトランジスタである薄膜トランジスタ１０３、およびコンデンサ１０４等で構成される。
【００５０】
薄膜トランジスタ１０２のソース電極１０２Ｓ（前述のソース電極４に相当）は、電源引込線１０５（前述の電源引込線８０に相当）に接続され、ドレイン電極１０２Ｄ（前述のドレイン電極５に相当）は有機ＥＬ素子１０１のアノード１０１Ａ（前述の下部電極１０に相当）に接続されている。
また、薄膜トランジスタ１０３のソース電極１０３Ｓは、ソース配線１０６（前述のソース配線４０に相当）に接続され、ゲート電極１０３Ｇは、ゲート配線１０７（前述のゲート配線５０に相当）に接続され、ドレイン電極１０３Ｄは、コンデンサ１０４および薄膜トランジスタ１０２のゲート電極１０２Ｇに接続されている。
【００５１】
この構成において、ゲート配線１０７にゲート信号が入力され、薄膜トランジスタ１０３がオン状態になると、ソース配線１０６を介して供給された映像信号電圧がコンデンサ１０４に保持される。この保持電圧は１フレーム期間を通じて保持される。この保持電圧により、薄膜トランジスタ１０２のコンダクタンスがアナログ的に変化し、発光階調に対応した駆動電流が、有機ＥＬ素子１０１のアノード１０１Ａからカソード１０１Ｃへと流れる。これにより、各有機ＥＬ素子１０１が発光し、表示領域１１０に画像等が表示される。
【００５２】
図１に戻り、再び表示パネル装置２００の構成の説明を続ける。
第１のＣＯＦ２２０は、第１のＦＰＣ（ｆｌｅｘｉｂｌｅ  ｐｒｉｎｔｅｄ  ｃｉｒｃｕｉｔｓ）２２１上に、第１の駆動部としてのソースドライバ２２２が搭載された構成を有する。第２のＣＯＦ２３０は、第２のＦＰＣ（ｆｌｅｘｉｂｌｅ  ｐｒｉｎｔｅｄ  ｃｉｒｃｕｉｔｓ）２３１上に、第２の駆動部としてのゲートドライバ２３２が搭載された構成を有する。第１のＣＯＦ２２０は、表示パネル２１０のＸ方向一端側に配置されており、第２のＣＯＦ２３０は、表示パネル２１０のＸ方向他端側に配置されている。
【００５３】
平面視において、表示パネル２１０の形状は異形であり、表示領域１１０の形状も異形である。表示領域１１０の形状が異形である点において、本実施の形態に係る表示パネル装置２００は、一般的な表示パネル装置とは構成が異なる。
なお、異形とは、本願においては矩形（正方形を含む）でないことを意味する。表示領域が矩形である場合、表示領域のＸ方向の幅はＹ方向に沿って均一であり、表示領域のＹ方向の幅もＸ方向に沿って均一である。しかしながら、表示領域が異形である場合、表示領域のＸ方向の幅がＹ方向に沿って均一でない、或いは、表示領域のＹ方向の幅がＸ方向に沿って均一でない、或いは、それら両方の幅が均一でない。そのような場合は表示領域が矩形であるとは言えないため、異形であるとみなす。
【００５４】
異形には、例えば、円形、半円形、楕円形、三角形、または五角形以上の多角形等が含まれる。また、矩形に対して少なくとも一部に凹部または凸部が形成された形状も異形に含まれる。本実施の形態における表示領域１１０は、矩形に対して１つのコーナー部に凹部が形成された形状であるとも言える。なお、異形が、図１に示すような表示領域１１０の形状に限られないのは言うまでもない。
【００５５】
本実施の形態における表示領域１１０の形状を具体的に説明する。表示領域１１０の外周縁は、Ｘ方向一端縁１１１と、Ｙ方向一端縁１１２と、Ｘ方向他端縁１１３と、Ｙ方向他端縁１１４とで構成されている。Ｘ方向一端縁１１１は、直線状である。Ｙ方向一端縁１１２は、Ｘ方向一端縁１１１のＹ方向一端と連続しており、Ｘ方向一端縁１１１とは直角を保っている。Ｘ方向他端縁１１３は、Ｙ方向一端縁１１２のＸ方向他端と連続しており、Ｙ方向一端縁１１２とは直角を保っていることからＸ方向一端縁１１１とは平行であるが、当該Ｘ方向一端縁１１１とは長さが異なる。それら長さの異なるＸ方向一端縁１１１およびＸ方向他端縁１１３のＹ方向他端間を結ぶＹ方向他端縁１１４は、他の端縁１１１〜１１３のように全体に亘って直線状ではなく、一部において曲線の部分が存在している。具体的には、直線状の第１の直線部分１１４ａおよび第２の直線部分１１４ｃと、それらを結ぶ曲線状の曲線部分１１４ｂとで構成されている。
【００５６】
表示パネル２１０は、パネル基板１上に、表示領域１１０以外に、表示領域１１０を囲繞する外周領域（額縁領域）１２０を有する。図１に示すように、二点鎖線１００の外側の領域が外周領域１２０である。外周領域１２０には、Ｘ方向一端縁１１１と隣接する領域１２１と、Ｙ方向一端縁１１２と隣接する領域１２２と、Ｘ方向他端縁１１３と隣接する領域１２３と、Ｙ方向他端縁１１４と隣接する領域１２４とが含まれる。
【００５７】
図５は、データ配線および選択配線の配線経路を示す模式平面図である。
図５に示すように、表示領域１１０には、ソース配線４０、ゲート配線５０および電源引込線８０が、それぞれ複数本ずつ設けられている。また、外周領域１２０には、ソース配線４０に接続された第１の引き出し配線６０と、ゲート配線５０に接続された第２の引き出し配線７０とが、それぞれ複数本ずつ設けられている。外周領域１２０には、さらに、電源引込線８０に接続された電源幹線９０が設けられている。
【００５８】
図６は、データ配線、選択配線および電源配線の配線経路を階層ごとに示す模式斜視図である。
図６に示すように、各ゲート配線５０の位置する階層は第１の配線層２１１であり、各ソース配線４０および各電源引込線８０の位置する階層は第２配線層２１２である。第１の配線層２１１はゲート電極２が形成されている層であり、第２の配線層２１２はソース電極４およびドレイン電極５が形成されている層であり、第１の配線層２１１と第２の配線層２１２の間にはゲート絶縁膜３が存在する（図３参照）。
【００５９】
図５に戻って、各第１の引き出し配線６０は、表示領域１１０のＸ方向一端縁１１１において、それぞれに対応する１本のソース配線４０と接続されており、外周領域１２０におけるＸ方向一端縁１１１と隣接する領域１２１にＸ方向に沿って引き出されている。各第１の引き出し配線６０の位置する階層は、第２の配線層２１２である（図６参照）。そして、各第１の引き出し配線６０は、Ｘ方向一端縁１１１と隣接する領域１２１における接続領域２２４において、第１のＣＯＦ２２０の複数の接続配線２２３と、１対１の関係で接続されている。これにより、第１のＣＯＦ２２０のソースドライバ２２２と各第１の引き出し配線６０とが、接続領域２２４において第１の接点６１で接続されており、第１の引き出し配線６０には、接続配線２２３を介してソースドライバ２２２から電圧が印加される。
【００６０】
複数の第１の接点６１が位置する接続領域２２４はＹ方向に沿った長尺状であり、複数の第１の接点６１はＹ方向に沿って配列されている。本実施の形態に係る表示パネル装置２００のようなＸ方向に長いフレキシブル表示パネル装置は、主にＸ方向に湾曲させて使用される。Ｘ方向に湾曲させる場合に、第１の接点６１がＹ方向に沿って配列されていれば、すなわち接続領域２２４がＹ方向に沿った長尺状であれば、接続領域２２４に応力が加わり難く、第１の引き出し配線６０と接続配線２２３との断線が起こりにくい。
【００６１】
複数の第１の接点６１のうちのＹ方向両端に位置する２つの第１の接点６１（図５におけるＹ方向一端に位置する第１の接点６１（ａ）、および、Ｙ方向他端に位置する第１の接点６１（ｂ）のことである。）は、表示領域１１０のＸ方向一端縁１１１の両端よりもＹ方向内側に位置している。このような構成とすれば、第１のＣＯＦ２２０のＹ方向の幅を、表示パネル２１０のＹ方向の幅よりも狭くし易く、表示パネル装置２００のＹ方向における狭額縁化を実現しやすい。
【００６２】
各第２の引き出し配線７０は、表示領域１１０のＹ方向一端縁１１２において、それぞれに対応する１本のゲート配線５０と、ゲート絶縁膜３に設けられたコンタクトホール７５を通じて接続されている（図６参照）。そして、各第２の引き出し配線７０は、外周領域１２０におけるＹ方向一端縁１１２と隣接する領域１２２にＹ方向に沿って引き出されている。さらに、各第２の引き出し配線７０は、Ｙ方向一端縁１１２と隣接する領域１２２から、Ｘ方向他端縁１１３と隣接する領域１２３まで延伸している。
【００６３】
このような構成とすれば、第２のＣＯＦ２３０を表示パネル２１０のＸ方向他端側に配置することができる。すなわち、第２のＣＯＦ２３０を、表示パネル２１０を挟んで第１のＣＯＦとは反対側に配置することができる。そのため、表示パネル装置２００をＹ方向において狭額縁化することができる。特に、Ｙ方向他端縁１１４と隣接する領域１２４を狭額縁化することができる。本実施の形態に係る表示パネル装置２００は、一般的な表示パネル装置とは異なり、外周領域１２０におけるＹ方向他端縁１１４と隣接する領域１２４が特殊な形状である。このような特殊な形状の部分はデザイン的に目立つ部位であるため、このような部位を狭額縁化できれば、表示パネル装置２００のデザイン性をより向上させることができる。
【００６４】
また、図６に示すように、第２の引き出し配線７０は、第１の配線層２１１に位置する配線７０Ａと、第２の配線層２１２に位置する配線７０Ｂとから構成される。配線７０Ａは、配線７０Ｂに沿って延伸しており、ゲート絶縁膜３に設けられたコンタクトホール７３，７５，７７を通じて配線７０Ｂと電気的に接続されている。第２の引き出し配線７０は、引き回される距離が比較的長いので、第２の引き出し配線７０の電気抵抗が増大しやすい。これに対して、本実施形態では、第２の引き出し配線７０は、互いに平行に延伸する２本の配線７０Ａ、７０Ｂから構成されている。これにより、第２の引き出し配線７０の実質的な断面積を大きくすることができ、その結果、第２の引き出し配線７０の電気抵抗の増大を抑制することができる。
【００６５】
図５に戻って、本実施の形態に係る表示パネル２１０は、有機ＥＬ素子３０の発光階調を変化させるためのアナログ信号が入力されるソース配線４０に接続された第１の引き出し配線６０ではなく、有機ＥＬ素子３０のオン／オフを制御する信号が入力されるゲート配線５０に接続された第２の引き出し配線７０が引き回される構成であるため、表示パネル２１０の表示性能を良好に保つことができる。なぜなら、ソース配線４０からソースドライバ２２２までの距離が長くなってアナログ信号値が劣化すると、表示パネル２１０の表示性能にダイレクトに悪影響を及ぼす可能性があるが、信号の劣化の影響が少ないゲート配線５０に接続された第２の引き出し配線７０であれば多少長くなっても、表示パネル２１０の表示性能に悪影響を及ぼしにくいからである。
【００６６】
なお、Ｙ方向一端縁１１２と隣接する領域１２２に引き出された第２の引出し配線７０を、第１の引き出し配線６０が配置されているＸ方向一端縁１１１と隣接する領域１２１まで延伸させることも技術的には可能である。しかしながら、そうすると、第１のＣＯＦ２２０と第２のＣＯＦ２３０の両方を表示パネル２１０のＸ方向一端側に並べて配置しなければならず、第１の引き出し配線６０とソースドライバ２２２との接続領域２２４のＹ方向中心と、ソース配線４０が引き出されるＸ方向一端縁１１１のＹ方向中心とのずれが大きくなり、結果的に一部の第１の引き出し配線６０が長くなってしまう。したがって、第２の引き出し配線７０は、第１の引き出し配線６０が配置されていないＸ方向他端縁１１３と隣接する領域１２３に延伸されていることが好ましく、これにより第１の引き出し配線６０が長くなってしまうことを抑制することができる。
【００６７】
各第２の引き出し配線７０は、Ｘ方向他端縁１１３と隣接する領域１２３における接続領域２３４において、第２のＣＯＦ２３０の複数の接続配線２３３と、１対１の関係で接続されている。これにより、第２のＣＯＦ２２０のゲートドライバ２３２と各第２の引き出し配線７０とが、接続領域２３４において第２の接点７１で接続されており、第２の引き出し配線７０には、接続配線２３３を介してゲートドライバ２３２から電圧が印加される。
【００６８】
複数の第２の接点７１が位置する接続領域２３４はＹ方向に沿った長尺状であり、複数の第２の接点７１はＹ方向に沿って配列されている。複数の第１の接点６１が位置する接続領域２２４の場合と同様に、第２の接点７１をＹ方向に沿って配列することにより、接続領域２３４がＹ方向に沿った長尺状となっているため、表示パネル装置２００をＸ方向に湾曲させた際に接続領域２３４に応力が加わり難く、第２の引き出し配線７０と接続配線２３３との断線が起こりにくい。
【００６９】
複数の第２の接点７１のうちのＹ方向一端に位置する第２の接点７１（ａ）は、表示領域１１０のＸ方向他端縁１１３よりもＹ方向外側に位置している。このような構成とすれば、第２の引き出し配線７０の配線パターンをシンプルにすることができるため、第２の引き出し配線７０の長さを短くすることができる。また、第２の引き出し配線７０の屈曲箇所を減らすことができるため、第２の引き出し配線７０の断線やショートを抑制することができる。なお、Ｙ方向他端に位置する第２の接点７１（ｂ）は、表示領域１１０のＸ方向他端縁１１３よりもＹ方向内側に位置している。
【００７０】
本実施の形態では、外周領域１２０の幅が表示領域１１０のＹ方向一端側と他端側とで異なっている。具体的には、図１に示すように、Ｙ方向一端縁１１２と隣接する領域１２２よりも、Ｙ方向他端縁１１４と隣接する領域１２４の方が、Ｘ方向の幅が狭い。このような構成は、Ｙ方向他端縁１１４と隣接する領域１２４には、第１の引き出し配線６０および第２の引き出し配線７０を配置しないことによって実現している。このような構成とすれば、より狭額縁化または異形化が容易になるため、より表示性能および意匠性に優れた表示パネル装置２００を得ることができる。
【００７１】
第２の電源配線としての電源幹線９０は、外周領域１２０に設けられており、ゲート絶縁膜３に設けられたコンタクトホール８３，８５を通じて各電源引込線８０と接続されている（図６参照）。そして、電源幹線９０は、Ｘ方向一端縁１１１と隣接する領域１２１における接続領域２２４において、第１のＣＯＦ２２０の接続配線２２３と接続されている。これにより、電源幹線９０が第１のＣＯＦ２２０のソースドライバ２２２と接続され、電源幹線９０に接続配線２２３を介してソースドライバ２２２から電源電圧が印加される。さらに、電源幹線９０は、Ｘ方向他端縁１１３と隣接する領域１２３における接続領域２３４において、第２のＣＯＦ２３０の接続配線２３３と接続されている。これにより、電源幹線９０が第２のＣＯＦ２３０のゲートドライバ２３２と接続され、電源幹線９０に接続配線２３３を介してゲートドライバ２３２から電源電圧が印加される。
【００７２】
また、図６に示すように、電源幹線９０は、第１の配線層２１１に位置する配線９０Ａと、第２の配線層２１２に位置する配線９０Ｂとから構成される。配線９０Ａは、第１の配線層２１１において、Ｘ方向一端縁１１１、Ｙ方向一端縁１１２、Ｘ方向他端縁１１３、Ｙ方向他端縁１１４に沿って配されている。一方、配線９０Ｂは、第２の配線層２１２において、Ｘ方向他端縁１１３とＹ方向他端縁１１４に沿って配されている。配線９０Ａは、ゲート絶縁膜３に設けられたコンタクトホールを通じて配線９０Ｂに電気的に接続されている。
【００７３】
このように、電源幹線９０は、配線９０Ａ、９０Ｂから構成されている。これにより、電源幹線９０の実質的な断面積を大きくすることができ、電源幹線９０内での電圧降下を抑制することができる。
第１の電源配線としての電源幹線９５は、第３の配線層２１３に位置し、上部電極１３と電気的に接続されている。電源幹線９５は、第３の配線層２１３において、Ｘ方向一端縁１１１とＹ方向一端縁１１２に沿って配されている。
【００７４】
外周領域１２０の幅が表示領域１１０のＹ方向一端側と他端側とで異なっている場合、幅が広い領域には、電源幹線９０および電源幹線９５の両方が配置されているが、幅が狭い領域においては、電源幹線９０および電源幹線９５のいずれか一方が省略されていることが好ましい。
例えば、本実施の形態に係る表示パネル装置２００のように、有機ＥＬ素子３０と接続している薄膜トランジスタ２０がｎ型である場合においては、幅が狭いＹ方向他端縁１１４と隣接する領域１２４において電源幹線９５を省略し、電源幹線９０のみを配置する。図４に示す等価回路において、映像信号電圧がコンデンサ１０４に保持されるが、電源幹線９５を省略し電源幹線９０を残せば、コンデンサ１０４の容量Ｃｓに影響を与えることなく表示パネル装置２００のＹ方向の幅を狭くすることができる。
【００７５】
逆に、有機ＥＬ素子３０と接続されている薄膜トランジスタ２０がｐ型である場合においては、幅が狭いＹ方向他端縁１１４と隣接する領域１２４において、電源幹線９５を省略し電源幹線９０を残すことで、同じく容量Ｃｓに影響を与えることなく、表示パネル装置２００のＹ方向の幅を狭くすることができる。
図７（ａ）は、図５において二点鎖線Ｂで囲まれた領域を示す拡大図、図７（ｂ）は、図５において二点鎖線Ｃで囲まれた領域を示す拡大図、図７（ｃ）は、図５において二点鎖線Ｄで囲まれた領域を示す拡大図である。
【００７６】
図５に示すように、各第２の引き出し配線７０は、第１の引き出し配線６０のように直線状ではなく、延伸方向が変化する少なくとも一つの屈曲部を有する。図７（ａ）〜（ｃ）に示すように、各第２の引き出し配線７０の各屈曲部７２の屈曲角度は、９０度を超えている。このような構成にすれば、屈曲角度が９０度以下の場合と比べて、各第２の引き出し配線７０の断線やショートが起こりにくい。なお、本実施の形態では、各屈曲部７２の屈曲角度は全て１３５度であるが、屈曲角度は１３５度に限られないし、全ての屈曲角度が同じである必要もない。
【００７７】
図８は、本発明の実施の形態に係る表示パネル装置の各配線の配線幅を説明するための模式平面図である。次に、図８を用いてソース配線４０、ゲート配線５０、第１の引き出し配線６０、および第２の引き出し配線７０の電気抵抗値について説明する。
表示領域が異形である場合には、Ｘ方向またはＹ方向の少なくとも一方の幅が均一でない。表示領域のＸ方向の幅が均一でない場合は、表示領域にＸ方向に沿って設けられた複数のソース配線の長さが均一でなくなる。また、表示領域のＹ方向の幅が均一でない場合は、表示領域にＹ方向に沿って設けられた複数のゲート配線の長さが均一でなくなる。本実施の形態係る表示領域１１０の場合は、領域によって、Ｘ方向およびＹ方向の両方の幅が異なるため、複数のソース配線４０の長さも、複数のゲート配線５０の長さも均一でない。
【００７８】
具体的には、図１に示すように、表示領域１１０は、Ｘ方向の幅が均一な領域Ｉと、領域ＩのＹ方向他端側において領域Ｉと連続する領域IIとに、Ｙ方向に沿って２分割することができる。領域IIのＸ方向の幅は、Ｙ方向他端側に向かうほど漸次狭くなっている。領域ＩのＸ方向の幅は、領域IIのＸ方向の幅よりも広い。したがって、図８に示すように、領域Ｉに存在するソース配線４０（ａ）は、領域IIに存在するソース配線４０（ｂ）よりも長い。
【００７９】
また、図１に示すように、表示領域１１０は、Ｙ方向の幅が均一且つ広い領域IIIと、Ｙ方向の幅が均一且つ領域IIIよりも狭い領域Ｖと、領域IIIと領域Ｖとの間に介在し、且つ、それら領域IIIおよび領域Ｖの両方と連続する領域IVとに、Ｘ方向に沿って３分割することができる。領域IVのＹ方向の幅は、Ｘ方向他端側に向かうほど漸次狭くなっている。領域IIIのＹ方向の幅は、領域IVのＹ方向の幅よりも広く、領域IVのＹ方向の幅は、領域ＶのＹ方向の幅よりも広い。したがって、図８に示すように、領域IIIに存在するゲート配線５０（ａ）は、領域IVおよび領域Ｖに存在するゲート配線５０（ｂ）よりも長い。
【００８０】
ソース配線４０の長さが領域によって異なる場合は、Ｘ方向の幅が狭い領域に係る配線（短いソース配線４０（ｂ）、および、短いソース配線４０（ｂ）に接続されている第１の引き出し配線６０（ｂ）の少なくとも一方の配線）の電気抵抗値を、Ｘ方向の幅が広い領域に係る配線（長いソース配線４０（ａ）、および、長いソース配線４０（ａ）に接続されている第１の引き出し配線６０（ａ）の少なくとも一方の配線）の電気抵抗値よりも大きくすることが好ましい。これにより、ソース配線４０の長さの違いによって電圧降下量に差異が生じるのを抑制することができる。そうすると、電圧降下量の差異に起因して発生する表示領域１１０内の輝度ばらつきが抑制され、その結果、表示性能の劣化が防止される。
【００８１】
本実施の形態では、短いソース配線４０（ｂ）に接続されている第１の引き出し配線６０（ｂ）の配線幅の方が、長いソース配線４０（ａ）に接続されている第１の引き出し配線６０（ａ）の配線幅よりも狭い。第１の引き出し配線６０の幅を狭くすると、第１の引き出し配線６０の断面積（配線の延伸方向と直交する面で切断した切断面の断面積）が小さくなるため、電気抵抗値が大きくなる。なお、短いソース配線４０（ｂ）に接続されている第１の引き出し配線６０（ｂ）の厚み（Ｚ方向の幅）は、長いソース配線４０（ａ）に接続されている第１の引き出し配線６０（ａ）の厚みと略同一であるため、断面積は第１の引き出し配線６０の配線幅に比例する。このように、厚みを略同一にしながら配線幅を変化させることによって断面積を変化させる構成は、短いソース配線４０（ｂ）に接続されている第１の引き出し配線６０（ｂ）と、長いソース配線４０（ａ）に接続されている第１の引き出し配線６０（ａ）とを、パターニングにより一度に形成することができるため、表示パネル装置２００の製造が容易である。
【００８２】
本実施の形態では、ソース配線４０の長さが領域によって異なっているが、短いソース配線４０（ｂ）と長いソース配線４０（ａ）の断面積、配線幅、および厚みは略同一であり、電気抵抗値も略同一である。ソース配線４０の電気抵抗値を均一にすれば、表示領域１１０内における各有機ＥＬ素子３０の寿命のばらつきを抑制することができる。
なお、本実施の形態では、ゲート配線５０の長さによらず、ゲート配線５０および第２の引き出し配線７０の断面積、配線幅、および厚みは略同一である。ゲート配線５０の電気抵抗値が変動したとしても、ソース配線４０の電気抵抗値が変動した場合と比較して表示性能に与える影響が少ないからである。また、表示領域１１０内における各有機ＥＬ素子３０の寿命のばらつきや、第２の引き出し配線７０における発熱量のばらつきを抑制することできる共に、表示パネル装置２００を容易に製造することができるからである。
【００８３】
なお、ソースドライバ２２２が搭載された第１のＣＯＦ２２０は、表示パネル２１０を挟んでゲートドライバ２３２が搭載された第２のＣＯＦ２３０とは反対側、すなわち表示パネル２１０のＸ方向他端側に配置されていることが好ましい。しかしながら、ゲート配線５０の長さが一方の端部において大きい場合は、第１のＣＯＦ２２０と第２のＣＯＦ２３０の両方を、ゲート配線５０の長さが長い領域の近傍に配置してもよい。例えば、本実施の形態に係る表示パネル装置２００の場合であれば、第１のＣＯＦ２２０と第２のＣＯＦ２３０の両方を、Ｘ方向一端縁１１１と隣接する領域１２１に配置してもよい。そうすれば、表示領域１１０が異形であることにより生じるゲート配線５０の長さの差異を、第２の引き出し配線７０の長さで相殺することができる。
【００８４】
図９は、変形例１に係る表示パネル装置の各配線の配線幅を説明するための模式平面図である。図９に示す変形例１に係る表示パネル装置２００Ａのように、第１の引き出し配線６０の電気抵抗値はソース配線４０の長さによらず略同一とし、短いソース配線４０（ｂ）の電気抵抗値を、長いソース配線４０（ａ）の電気抵抗値よりも大きくする構成としてもよい。
【００８５】
変形例１では、ソース配線４０の長さによらず、ソース配線４０の厚みは略同一であるが、短いソース配線４０（ｂ）の配線幅を長いソース配線４０（ａ）の配線幅よりも狭くすることによって、短いソース配線４０（ｂ）の電気抵抗値を、長いソース配線４０（ａ）の電気抵抗値よりも大きくしている。
このような構成であっても、ソース配線４０の長さの違いによって電圧降下量に差異が生じるのを抑制することができる。さらには、第１の引き出し配線６０が設けられているＸ方向一端縁１１１と隣接する領域１２１における発熱量の偏在を抑制することができるため、表示領域１１０におけるＸ方向一端縁１１１の近傍において有機ＥＬ素子３０の配置が妨げられ難い。
【００８６】
図１０は、変形例２に係る表示パネル装置の各配線の配線幅を説明するための模式平面図である。図１０に示す変形例２に係る表示パネル装置２００Ｂのように、短いソース配線４０（ｂ）に接続されている第１の引き出し配線６０（ｂ）の電気抵抗値を、長いソース配線４０（ａ）に接続されている第１の引き出し配線６０（ａ）の電気抵抗値よりも大きくすると共に、短いソース配線４０（ｂ）の電気抵抗値を、長いソース配線４０（ａ）の電気抵抗値よりも大きくする構成としてもよい。
【００８７】
変形例２では、ソース配線４０の長さによらず、第１の引き出し配線６０の厚みは略同一であるが、短いソース配線４０（ｂ）に接続されている第１の引き出し配線６０（ｂ）の配線幅を、長いソース配線４０（ａ）に接続されている第１の引き出し配線６０（ａ）の配線幅よりも狭くすることによって、短い第１の引き出し配線６０（ｂ）の電気抵抗値を、長い第１の引き出し配線６０（ａ）の電気抵抗値よりも大きくしている。さらに、ソース配線４０の長さによらず、ソース配線４０の厚みは略同一であるが、短いソース配線４０（ｂ）の配線幅を長いソース配線４０（ａ）の配線幅よりも狭くすることによって、短いソース配線４０（ｂ）の電気抵抗値を、長いソース配線４０（ａ）の電気抵抗値よりも大きくしている。
【００８８】
このような構成であれば、ソース配線４０の長さの違いによる電圧降下量の差異をより抑制しやすい。さらに、互いに接続されるソース配線４０と第１の引き出し配線６０とを、場所によらず全て同じ配線幅にすることも可能である。
図１１は、変形例３に係る表示パネル装置の各配線の配線幅を説明するための模式平面図である。図１１に示す変形例３に係る表示パネル装置２００Ｃのように、短いソース配線４０（ｂ）およびそれに接続されている第１の引き出し配線６０（ｂ）の電気抵抗値を、長いソース配線４０（ａ）およびそれに接続されている第１の引き出し配線６０（ａ）の電気抵抗値よりも大きくすると共に、短いゲート配線５０（ｂ）およびそれに接続されている第２の引き出し配線７０（ａ）の電気抵抗値を、長いゲート配線５０（ａ）およびそれに接続されている第２の引き出し配線７０（ａ）の電気抵抗値よりも大きくする構成としてもよい。
【００８９】
変形例３では、変形例２と同じように、ソース配線４０の長さによらず、第１の引き出し配線６０の厚みは略同一であるが、短いソース配線４０（ｂ）に接続されている第１の引き出し配線６０（ｂ）の配線幅を、長いソース配線４０（ａ）に接続されている第１の引き出し配線６０（ａ）の配線幅よりも狭くすることによって、第１の引き出し配線６０（ｂ）の電気抵抗値を、長い第１の引き出し配線６０（ａ）の電気抵抗値よりも大きくしている。さらに、ソース配線４０の長さによらず、ソース配線４０の厚みは略同一であるが、短いソース配線４０（ｂ）の配線幅を長いソース配線４０（ａ）の配線幅よりも狭くすることによって、短いソース配線４０（ｂ）の電気抵抗値を、長いソース配線４０（ａ）の電気抵抗値よりも大きくしている。そのため、ソース配線４０の長さの違いによる電圧降下量の差異をより抑制しやすい。
【００９０】
さらに、変形例３では、変形例２とは異なり、ゲート配線５０の長さによらず、第２の引き出し配線７０の厚みは略同一であるが、短いゲート配線５０（ｂ）に接続されている第２の引き出し配線７０（ｂ）の配線幅を、長いゲート配線５０（ａ）に接続されている第２の引き出し配線７０（ａ）の配線幅よりも狭くすることによって、短い第２の引き出し配線７０（ｂ）の電気抵抗値を、長い第２の引き出し配線７０（ａ）の電気抵抗値よりも大きくしている。さらに、ゲート配線５０の長さによらず、ゲート配線５０の厚みは略同一であるが、短いゲート配線５０（ｂ）の配線幅を長いゲート配線５０（ａ）の配線幅よりも狭くすることによって、短いゲート配線５０（ｂ）の電気抵抗値を、長いゲート配線５０（ａ）の電気抵抗値よりも大きくしている。
【００９１】
ゲート配線５０（ａ）がゲート配線５０（ｂ）よりも長い場合は、Ｙ方向の幅が狭い領域に係る配線（短いゲート配線５０（ｂ）、および、短いゲート配線５０（ｂ）に接続されている第２の引き出し配線７０（ｂ）の少なくとも一方の配線）の電気抵抗値を、Ｙ方向の幅が広い領域に係る配線（長いゲート配線５０（ａ）、および、長いゲート配線５０（ａ）に接続されている第２の引き出し配線７０（ａの少なくとも一方の配線）の電気抵抗値よりも大きくすることが好ましい。これにより、ゲート配線５０の長さの違いによって電圧降下量に差異が生じるのを抑制することができる。
【００９２】
なお、本実施の形態および変形例１〜３は、いずれも、Ｘ方向の幅が狭い領域に係る配線の電気抵抗値が、Ｘ方向の幅が広い領域に係る配線の電気抵抗値よりも大きい構成であった。しかしながら、Ｘ方向の幅が狭い領域に係る配線の電気抵抗値とＸ方向の幅が広い領域に係る配線の電気抵抗値とが同じであって、Ｙ方向の幅が狭い領域に係る配線の電気抵抗値が、Ｙ方向の幅が広い領域に係る配線の電気抵抗値よりも大きい構成であってもよい。
【００９３】
また、本実施の形態および変形例１〜３では、ソース配線４０、ゲート配線５０、第１の引き出し配線６０、および第２の引き出し配線７０の断面積を、それら配線の配線幅を変化させることによって変化させていたが、それら各配線の断面積は、各配線の厚みを変化させることによって変化させてもよし、配線幅と厚みの両方を変化させることによって変化させてもよい。また、上記本実施の形態および変形例１〜３では、各配線の電気抵抗値を、各配線の断面積を変化させることによって変化させていたが、各配線の電気抵抗値は、それら配線に抵抗素子を付加して変化させてもよいし、配線を構成する材料を変えて変化させてもよい。
（電子機器）
図１２は、本発明の実施の形態に係る電子機器を示す斜視図である。図１３は、本発明の実施の形態に係る電子機器を示す一部破断斜視図であって、ケースにおける表示パネルを覆う部分が取り除かれている。図１４は、本発明の実施の形態に係る電子機器を示す断面図である。
【００９４】
図１２および図１３に示すように、電子機器３００は、ケース３１０におけるフロント部３１１の内部に、表示パネル装置２００がＸ方向に湾曲させた状態で収容されている。また、図１４に示すように、表示パネル装置２００以外に、制御部２４０、およびバッテリー２５０等が収容されている。
電子機器３００は、表示パネル装置２００が湾曲可能であることを利用し、リング形状に変形することができ、手首など身体の一部に装着することができる。フロント部３１１には、情報を表示すると共に、電子機器３００にタッチパネルを内蔵することで、ユーザーが表示内容を操作することもできる。また、電子機器３００は、外部の端末との通信を行なうための通信部を有していてもよい。
【００９５】
なお、表示パネル装置２００を湾曲させて使用する電子機器３００においては、表示パネル装置２００がＹ方向よりもＸ方向に湾曲しやすいことが好ましい。図１２に示すように、電子機器３００の湾曲の中心軸をαとすると、中心軸αとＹ方向とが略平行であることが好ましい。すなわち、Ｙ方向と直交する軸に対する曲率半径が、Ｙ方向と平行な軸に対する曲率半径よりも小さいことが好ましい。これにより、第１の引き出し配線６０とソースドライバ２２２との接続領域２２４、および、第２の引き出し配線７０とゲートドライバ２３２との接続領域２３４の破損を抑制することができる。
【００９６】
なぜなら、各接続領域２２４，２３４がＹ方向に沿った長尺状となっているからである。各接続領域２２４，２３４の長手方向であるＹ方向と直交するＸ方向に表示パネル装置２００を湾曲させるのであれば、表示パネル装置２００を湾曲させても各接続領域２２４，２３４に大きな応力が加わらないため、それら接続領域２２４，２３４内の第１の接点６１および第２の接点７１の配線構造が劣化しにくい。
【００９７】
本実施の形態では、サブピクセルの短軸方向と中心軸αが平行であるが、このような場合には、表示パネル２１０の第２の隔壁部１１に、中心軸αと平行に延伸する溝部を設けることが好ましい。さらに、中心軸αと垂直に延伸する溝部も設ける場合には、中心軸αと垂直に延伸する溝部の深さよりも、中心軸αと平行に延伸する溝部の深さの方を深くすることが好ましい。この構成により、表示パネル装置２００の曲がりやすさを確保すると共に、有機ＥＬ素子３０の劣化を抑制することができる。
【００９８】
なお、電子機器３００の湾曲の中心軸αと、表示パネル２１０のサブピクセルの長軸方向が平行であれば、電子機器３００を湾曲させた場合でも、有機ＥＬ素子３０の劣化を抑制することができる。
以上のように、図１〜図１４を用いて、表示パネル装置２００、および表示パネル装置２００を備える電子機器３００について説明した。
【００９９】
なお、本実施の形態に係る表示パネル装置２００では、上部電極１３および下部電極１０の両方が、画素毎に分離した構成であってもいいし、上部電極１３および下部電極１０の一方が、表示領域１１０内の複数の画素で共通して使用される一つの電極であってもよい。
上記本実施の形態および変形例は、異形の表示領域１１０を有する表示パネル装置２００に対して、第２の引き出し配線７０をＸ方向他端縁１１３と隣接する領域１２３まで延伸させる第１の構成、並びに、ソース配線４０およびゲート配線５０の長さに応じて各配線４０，５０，６０，７０の電気抵抗値を異ならしめる第２の構成を適用するものであった。しかしながら、異形の表示領域を有する表示パネル装置に対して、第１の構成または第２の構成のいずれか一方のみを適用してもよい。
【０１００】
例えば、異形の表示領域を有する表示パネル装置に、第２の構成のみを適用してもよい。すなわち、第２の引き出し配線がＸ方向他端縁と隣接する領域まで延伸しておらず、Ｙ方向一端縁と隣接する領域に引き出された後、表示パネルのＹ方向一端側に配置されたゲートドライバと接続されている表示パネル装置であって、異形の表示領域を有する表示パネル装置に、ソース配線およびゲート配線の長さに応じて各配線の電気抵抗値を異ならしめる第２の構成を適用してもよい。
【０１０１】
さらに、上述した、電源配線の配置についての特徴、表示パネルの湾曲の中心軸αとサブピクセルの長軸方向との関係についての特徴、表示パネルの湾曲の中心軸αと接続領域の長手方向との関係についての特徴を、表示領域が矩形である従来の表示パネル装置や、ゲートドライバが表示パネルのＹ方向一端側に配置されている従来の表示パネル装置に適用してもよいことは言うまでもない。
【０１０２】
また、表示パネル装置のＣＯＦとして、ＦＰＣにＩＣチップ等の固い部品を搭載してなるＣＯＦの代わりに、有機ＴＦＴを利用した湾曲自在なＣＯＦを用いてもよい。この湾曲自在なＣＯＦを使用する場合は、表示パネルのＹ方向一端側に第２のＣＯＦを配置してもよい。
（表示パネル装置の製造方法）
図１５は、本発明の実施の形態に係る表示パネル装置の製造過程の一部を示す模式端面図である。次に、表示パネル２１０の製造方法を、図１５を用いて説明する。
【０１０３】
まず、図１５（ａ）に示すように、パネル基板１を準備する。本実施の形態では、パネル基板１としてポリイミド等の樹脂製基板を利用している。パネル基板１上には、必要に応じてアンダーコート層を形成してもよい。なお、パネル基板１の下面には、支持基板としてガラス基板を別途備えていてもよい。
次に、図１５（ｂ）に示すように、パネル基板１上に所定形状のゲート電極２を形成する。具体的には、パネル基板１上にゲート電極２の材料を堆積させてゲート金属膜を形成し、その後、フォトリソグラフィおよびエッチングによってゲート金属膜をパターニングすることで所定形状のゲート電極２を形成する。ゲート金属膜は、スパッタまたは蒸着によって成膜することができ、ゲート金属膜のエッチングは、ウェットエッチングまたはドライエッチングを用いることができる。
【０１０４】
次に、図１５（ｃ）に示すように、ゲート電極２上にゲート絶縁膜３を形成する。ゲート絶縁膜３はパネル基板１上の全面に形成され、材料に応じてプラズマＣＶＤ（Ｃｈｅｍｉｃａｌ  Ｖａｐｏｒ  Ｄｅｐｏｓｉｔｉｏｎ）法または塗布法によって形成することができる。例えば、ゲート絶縁膜３として、シリコン酸化膜またはシリコン窒化膜等の無機絶縁膜を用いる場合は、プラズマＣＶＤ法によってゲート絶縁膜３を成膜することができる。また、ゲート絶縁膜３として、ポリイミド、ポリビニルフェノールまたはポリプロピレン等の有機絶縁膜を用いる場合は、塗布法によってゲート絶縁膜３を成膜することができる。
【０１０５】
次に、図１５（ｄ）に示すように、ゲート絶縁膜３上に、ソース電極４およびドレイン電極５を形成する。
次に、図１５（ｅ）に示すように、ゲート絶縁膜３の上方に開口６ａが設けられた第１の隔壁部６を形成する。具体的には、パネル基板１の上方の全面に第１の隔壁部６の材料を塗布することによって隔壁層を形成し、その隔壁層をパターニングすることにより第１の隔壁部６を形成する。このとき、第１の隔壁部６の開口６ａは、対向するソース電極４およびドレイン電極５の両方の端部上面が露出するように形成される。なお、隔壁層のパターニングは、隔壁層を露光および現像することによって行うことができる。
【０１０６】
次に、図１５（ｆ）に示すように、第１の隔壁部６の開口６ａ内に、半導体層７を形成する。
次に、図１５（ｇ）に示すように、半導体層７の上方を含むパネル基板１の上方の全域に、無機保護膜８を形成する。
次に、図１５（ｈ）に示すように、無機保護膜８上に絶縁層９を形成する。絶縁層９は、その表面が平坦化されるように所望の厚さで形成する。その後、コンタクトホール９ａを形成してドレイン電極５の一部を露出させる。なお、絶縁層９は、例えばＳＯＧ等の所定の材料を塗布して焼成することによって形成することができる。
【０１０７】
次に、図１５（ｉ）に示すように、ドレイン電極５上を含む所定の位置に下部電極１０を形成する。下部電極１０は、例えば、スパッタにより金属膜を成膜し、フォトリソグラフィおよびウェットエッチングによって当該金属膜をパターニングすることで形成することができる。
次に、図１５（ｊ）に示すように、感光性樹脂をパターニングすることによりマトリクス状の画素に対応する複数の開口１１ａを有する第２の隔壁部１１を形成する。
【０１０８】
次に、図１５（ｋ）に示すように、第２の隔壁部１１の開口１１ａ内に有機層１２を形成する。有機層１２は、例えば、ＰＥＤＯＴ溶液をスピンコートすることにより正孔注入層を形成し、正孔注入層上に真空蒸着法によりα−ＮＰＤおよびＡｌｑ３を積層して発光層を形成し、発光層上にニトロ置換フルオレノン誘導体などの化合物をスピンコート等によって積層して電子輸送層を形成することで作成することができる。
【０１０９】
次に、図１５（ｌ）に示すように、スパッタによって有機層１２上にＩＴＯからなる上部電極１３を形成する。
次に、図１５（ｍ）に示すように、上部電極１３上の全域に、ＥＬ封止層１４を形成する。
次に、図１５（ｎ）に示すように、ＥＬ封止層１４上に封止層１５を塗布して、その上に封止基板１６を配置する。なお、封止基板１６には、予めカラーフィルタ（調光層）を形成しておいてもよい。その後、封止基板１６を上面側から下方に加圧しつつ熱またはエネルギー線を付加して封止層１５を硬化させる。なお、封止層１５を塗布する前に、上部電極１３上にＳｉＮなる薄膜封止層をプラズマＣＶＤ法により形成してもよい。
【０１１０】
次に、以上のようにして作成された積層体から不要な部分をカットすると共に、第１のＣＯＦ２２０および第２のＣＯＦ２３０を接続して表示パネル２１０を完成させる。
具体的には、積層体のＸ方向一端部およびＸ方向他端部を、Ｘ方向一端縁１１１と隣接する領域１２１およびＸ方向他端縁１１３と隣接する領域１２３を残しながらカットする。その後、Ｘ方向一端縁１１１と隣接する領域１２１およびＸ方向他端縁１１３と隣接する領域１２３に、第１のＣＯＦ２２０および第２のＣＯＦ２３０を接続する。次に、積層体のＹ方向一端部およびＹ方向他端部を、Ｙ方向一端縁１１２と隣接する領域１２２およびＹ方向他端縁１１４と隣接する領域１２４を残しながらカットする。
【０１１１】
積層体のＸ方向両端部およびＹ方向一端部のカットは、カットラインが直線状であるため、レーザーカット法や機械的切断法等のカット方法で行うことができる。積層体のＹ方向他端部のカットは、カットラインに曲線部分があるため、レーザーカット法などで行う。なお、積層体のＸ方向両端およびＹ方向両端部のカットを同一工程で行ってもよい。このようにして製造される表示パネル装置は、フラットパネルディスプレイとして利用することができ、テレビジョンセット、パーソナルコンピュータ、携帯電話などのあらゆる表示パネル装置を有する電子機器に適用することができる。
【０１１２】
（まとめ）
以上、本発明に係る表示パネル装置および電子機器について、実施の形態に基づいて説明したが、本発明は、上記の実施の形態に限定されるものではない。
また、本実施の形態に示すような異形の表示領域を有する表示パネル装置の用途は、腕時計型の電子機器など、特定のものに限られず、広く様々なアプリケーションに適用することが出来る。
【０１１３】
その他、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
また、本実施の形態では、有機ＥＬ素子を利用した表示パネル装置を例示しているが、これには限られない。例えば、液晶を利用した表示パネル装置でも本発明に適用可能である。
【産業上の利用可能性】
【０１１４】
本発明の一態様に係る表示パネル装置は、テレビジョンセット、パーソナルコンピュータ、携帯電話、ウェアラブル端末などの表示装置またはその他様々な電気機器に広く利用することができる。
【符号の説明】
【０１１５】
１  基板
４  ソース電極
５  ドレイン電極
７  半導体層
１０  下部電極
１２  機能層
１３  上部電極
２０  薄膜トランジスタ
４０  データ配線
５０  選択配線
６０  第１の引き出し配線
６１  第１の接点
７０  第２の引き出し配線
７１  第２の接点
７２  屈曲部
９５  第１の電源配線
９０  第２の電源配線
１００  表示素子
１１０  表示領域
１１１  Ｘ方向一端縁
１１２  Ｙ方向一端縁
１２１  Ｘ方向一端縁と隣接する領域
１２２  Ｙ方向一端縁と隣接する領域
１２３  Ｘ方向他端縁と隣接する領域
２００  表示パネル装置
２２０  第１の駆動部
２３０  第２の駆動部
３００  電子機器
【図１】
2015087474.tif 000003
【図２】
2015087474.tif 000004
【図３】
2015087474.tif 000005
【図４】
2015087474.tif 000006
【図５】
2015087474.tif 000007
【図６】
2015087474.tif 000008
【図７】
2015087474.tif 000009
【図８】
2015087474.tif 000010
【図９】
2015087474.tif 000011
【図１０】
2015087474.tif 000012
【図１１】
2015087474.tif 000013
【図１２】
2015087474.tif 000014
【図１３】
2015087474.tif 000015
【図１４】
2015087474.tif 000016
【図１５】
2015087474.tif 000017
【図１６】
2015087474.tif 000018